(57)【要約】  アクセス端末に対して、他のアクセス端末にアサインされた資源に亘り、条件付アサインメントを与える方法および装置が開示される。更に、アクセス端末が条件付でアサインされている資源を利用すべきかどうかを決定するために、資源を処理するための方法および装置が開示される。【選択図】    図３Ａ
2009538061.tif 000002
【特許請求の範囲】
【請求項１】
資源を複数のアクセス端末にアサインする方法であって：
第一のアクセス端末のための第一のアサインメントを発生させ、該第一のアサインメントは第一の資源を同定することと：
第二のアクセス端末のための条件付の第二のアサインメントを発生させ、該条件付のアサインメントは前記第一の資源を同定すること
を含んでなる方法。
【請求項２】
請求項１に記載の方法であって、更に、条件付きの情報なし信号の利用を同定することを含んでなる方法。
【請求項３】
請求項１に記載の方法であって、前記情報なし信号は抹消サインに対応する方法。
【請求項４】
請求項１に記載の方法であって、前記第一のアサインメントを発生させることは、逆方向リンク通信のために前記第一のアサインメントを発生させることを含んでなる方法。
【請求項５】
請求項１に記載の方法であって、前記第一のアサインメントを発生させることは、順方向リンク通信のために前記第一のアサインメントを発生させることを含んでなる方法。
【請求項６】
請求項１に記載の方法であって、前記第一のアサインメントを発生させることは、順方向リンクおよび逆方向リンク通信のために前記第一のアサインメントを発生させることを含んでなる方法。
【請求項７】
アクセス端末において受信された信号を処理する方法であって：該方法は、
通信資源に対応して信号が受信されないかどうかを決定することと；
前記アクセス端末が、情報なし信号が受信されている通信資源を条件的にアサインされるかどうかを決定することと；
前記情報なし信号が受信され、アクセス端末が条件的に前記通信資源をアサインされれば、前記通信資源を利用して通信すること
を含んでなる方法。
【請求項８】
請求項７に記載の方法であって、前記情報なし信号が受信されるかどうかを決定することは、セクター同定を含む前記情報なし信号が受信されるかどうかを決定することを含んでなる方法。
【請求項９】
請求項７に記載の方法であって、前記情報なし信号が受信されるかどうかを決定することは、抹消署名が受信されるかどうかを決定することを含んでなる方法。
【請求項１０】
請求項７に記載の方法であって、前記情報なし信号が受信されたかどうかを決定することは、前記アクセス端末の装置同定を含む前記情報なし信号が受信されるかどうかを決定することを含んでなる方法。
【請求項１１】
請求項７に記載の方法であって、前記通信することは、前記通信資源上で受信された信号を復調させることを含んでなる方法。
【請求項１２】
請求項１１に記載の方法であって、前記情報なし信号が受信されたかどうかを決定することは、前記情報なし信号が前記通信資源上を送信されるかどうかを決定することを含んでなる方法。
【請求項１３】
請求項７に記載の方法であって、前記通信することは、前記通信資源上で信号を送信することを含んでなる方法。
【請求項１４】
請求項７に記載の方法であって、更に、前記通信資源上で受信された信号についてのアクノリッジメントを送信することを含んでなる方法。
【請求項１５】
請求項１４に記載の方法であって、前記アクノリッジメントを送信することは、前記通信資源に対応する資源上で、前記アクノリッジメントを送信することを含んでなる方法。
【請求項１６】
請求項１４に記載の方法であって、前記アクノリッジメントを送信することは、前記通信資源に関連したチャンネルツリーの最も低いノードに対応するチャンネル上で前記アクノリッジメントを送信することを含んでなる方法。
【請求項１７】
メモリーと；
第一のアクセス端末のための第一のアサインメント、および第二のアクセス端末のための第二のアサインメントを発生するように構成されたプロセッサとを含んでなる装置であって、
前記第一のアサインメントは第一の資源を同定し、また前記第二のアサインメントは条件付で且つ前記第一の資源を同定する装置。
【請求項１８】
請求項１７に記載の装置であって、前記プロセッサは、情報なし信号に基づいて前記第二のアサインメントが条件付であることを識別するように構成される装置。
【請求項１９】
請求項１８に記載の装置であって、前記プロセッサは、抹消署名として前記情報なし信号を発生させるように構成される装置。
【請求項２０】
請求項１７に記載の装置であって、前記第一の資源は逆方向リンク通信資源に対応する装置。
【請求項２１】
請求項１７に記載の装置であって、前記第一の資源は順方向リンク通信資源に対応する装置。
【請求項２２】
請求項１７に記載の装置であって、前記第一の資源は順方向リンクおよび逆方向リンク通信資源に対応する装置。
【請求項２３】
アクセス端末であって：
メモリーと；
前記アクセス端末が、そのために情報なし信号が受信されている条件付でアサインされた通信資源であるかどうかを決定するように、また前記情報なし信号が受信され且つアクセス端末が条件付で前記通信資源をアサインされれば、該通信資源を利用した通信を命令するように構成されたプロセッサと
を含んでなるアクセス端末。
【請求項２４】
請求項２３に記載のアクセス端末であって、前記プロセッサは、適切なセクター同定を含んでいれば前記情報なし信号が受信されるかどうかを決定するように構成されるアクセス端末。
【請求項２５】
請求項２３に記載のアクセス端末であって、前記プロセッサは、それが抹消信号を含んでいれば前記情報なし信号が受信されるかどうかを決定するように構成されるアクセス端末
【請求項２６】
請求項２３に記載のアクセス端末であって、前記プロセッサは、それが前記アクセス端末の適切な装置識別を含んでいれば前記情報なし信号が受信されるかどうかを決定するように構成されるアクセス端末。
【請求項２７】
請求項２３に記載のアクセス端末であって、前記プロセッサは、前記通信資源上で受信された信号を復調することを命令するように構成されるアクセス端末。
【請求項２８】
請求項２７に記載のアクセス端末であって、前記プロセッサは、前記情報なし信号が前記通信資源上で送信されれば前記情報なし信号が受信されるかどうかを決定するように構成されるアクセス端末。
【請求項２９】
請求項２３に記載のアクセス端末であって、前記プロセッサは、前記通信資源上で信号を送信することを命令するように構成されるアクセス端末。
【請求項３０】
請求項２３に記載のアクセス端末であって、前記プロセッサは、前記通信資源上で受信された信号についてのアクノリッジメントを送信することを命令するように構成されるアクセス端末。
【請求項３１】
請求項３０に記載のアクセス端末であって、前記プロセッサが前記通信資源上で受信された信号についてのアクノリッジメントを送信することを命令するように構成されることは、前記通信資源に対応する資源上で前記アクノリッジメントを送信することを含んでなるアクセス端末。
【請求項３２】
請求項３０に記載のアクセス端末であって、前記プロセッサは、前記通信資源に関連したチャンネルツリーの最も低いノードに対応するチャンネル上で、前記アクノリッジメントを送信することを命令するように構成されるアクセス端末。
【請求項３３】
資源を多重アクセス端末にアサインするための装置であって：
通信資源が、アクセスポイントと通信している他のアクセス端末に条件付でアサインされてよいかどうかを決定するための手段と；
１以上のアクセス端末に対して、条件付でアサインされてよい通信資源の幾つかまたは全部への１以上の条件付アサインメントを提供するための手段と
を含んでなる装置。
【請求項３４】
請求項３３に記載の装置であって、前記１以上の条件付アサインメントは、情報なし信号に基づいて条件付であると同定される装置。
【請求項３５】
請求項３３に記載の装置であって、前記情報なし信号は削除署名に対応する装置。
【請求項３６】
請求項３３に記載の装置であって、前記第一の資源は、逆方向リンク通信に対応する装置。
【請求項３７】
請求項３３に記載の装置であって、前記第一の資源は、順方向リンク通信に対応する装置。
【請求項３８】
請求項３３に記載の装置であって、前記第一の資源は、順方向リンクおよび逆方向リンク通信に対応する装置。
【請求項３９】
アクセス端末で受信された信号を処理するための装置であって：
情報なし信号が受信されるかどうかを決定するための手段と；
該情報なし信号に服する資源の身元アイデンティティーを決定するための手段と；
前記アクセス端末が、前記同定された資源についての条件付アサインメントを有するかどうかを決定するための手段と；
条件付アサインメントが存在すれば前記資源を利用するための手段と
を含んでなる装置。
【請求項４０】
請求項３９に記載の装置であって、前記情報なし信号はセクター同定を含む装置。
【請求項４１】
請求項３９に記載の装置であって、前記情報なし信号は削除署名に対応する装置。
【請求項４２】
請求項３９に記載の装置であって、前記情報なし信号は前記アクセス端末のデバイス同定を含む装置。
【請求項４３】
請求項３９に記載の装置であって、前記通信のための手段は、前記通信資源上で受信された信号を復調するための手段を含んでなる装置。
【請求項４４】
請求項３９に記載の装置であって、前記信号および情報なし信号は前記通信資源上で送信される装置。
【請求項４５】
請求項３９に記載の装置であって、前記通信するための手段は、前記通信資源上で信号を送信することを含んでなる装置。
【請求項４６】
請求項３９に記載の装置であって、更に、前記通信資源上で受信された信号についてのアクノリッジメントを送信するための手段を含んでなる装置。
【請求項４７】
その上に命令を含んだプロセッサ読取り可能な媒体であって：
通信資源が、アクセスポイントと通信している他のアクセス端末に対して条件付でアサインされてよいかどうかを決定するための命令と；
１以上のアクセス端末に対して、条件付でアサインされてよい通信資源の幾つかまたは全部への１以上の条件付アサインメントを提供するための命令と
を含んでなる媒体
【請求項４８】
請求項４７に記載の媒体であって、前記１以上の条件付アサインメントは、情報なし信号に基づいて条件付であるかどうかが同定される媒体。
【請求項４９】
請求項４７に記載の媒体であって、前記情報なし信号は抹消署名に対応する媒体。
【請求項５０】
その上に命令を含んだプロセッサ読取り可能な媒体であって：
情報なし信号が受信されるかどうかを決定するための命令と；
前記情報なし信号に服する資源のアイデンティティーを決定するための命令と；
前記アクセス端末が前記同定された資源についての条件付アサインメントを有するかどうかを決定するための命令と；
条件付アサインメントが存在すれば前記資源を利用するための命令と
を含んでなる媒体。
【請求項５１】
請求項５０に記載の媒体であって、前記情報なし信号はセクター同定を含む媒体。
【請求項５２】
請求項５０に記載の媒体であって、前記情報なし信号は抹消署名に対応する媒体。
【請求項５３】
請求項５０に記載の媒体であって、前記情報なし信号は、前記アクセス端末のデバイス同定を含む媒体。
【請求項５４】
請求項５０に記載の媒体であって、前記信号および情報なし信号は、前記通信資源上で送信される媒体。
【請求項５５】
請求項５０に記載の媒体であって、更に、前記通信資源上で受信された信号についてのアクノリッジメントを送信するための命令を含んでなる媒体。
【発明の詳細な説明】
【技術分野】
【０００１】
この文書は、一般には無線通信に関するものであり、なかでも、無線通信システムのためのアサインメントに関する。
【背景】
【０００２】
無線通信システムは、音声およびデータ等のような種々のタイプの通信を提供するために広く展開されている。これらのシステムは、利用可能なシステム資源（例えば帯域幅および送信出力）を共有することによって複数のアクセス端末との通信をサポートできる多重アクセスシステムであってよい。斯かる多重アクセスシステムの例には、コード分割多重アクセス（ＣＤＭＡ）システム、時間分割多重アクセス（ＴＤＭＡ）システム、周波数分割多重アクセス（ＦＤＭＡ）システム、および直交周波数分割多重アクセス（ＯＦＤＭＡ）システムが含まれる。典型的には、無線通信システムは幾つかのベースステーションを含んでなるものであり、ここでは各ベースステーションが順方向リンクを使用してモバイルステーションと通信し、また各モバイルステーション（またはアクセス端末）は逆方向リンクを使用してベースステーションと通信する。
【０００３】
一般に、アクセスポイントまたはアクセス端末の送信機が一組の実際のデータの送信を完了し、且つもう一組の実際のデータパケットを送信する前に、送信における中断（「ギャップ」とも称される）が起きる。このデータ送信におけるギャップは、アサインされた資源上を実際のデータが送信されないときの持続時間を意味する。典型的な通信システムにおいて、アクセスポイント送信機の場合、送信におけるギャップはアサインされた資源の喪失として解釈され得る可能性が存在する。この場合、これら資源は失われ、また利用可能な帯域幅が完全には利用されない。更に、送信におけるギャップは、アサインされた資源がアサイン解除されたことを示す指標として解釈されるかもしれない。何れの場合にも、それは非効率的であり、また通信システムの質および信頼性を低下される可能性がある。
【０００４】
従って、アクセスポイントおよびアクセス端末が、送信におけるギャップを、アサインされた資源を必要としない指標、またはアサインされた資源が最早利用可能でないことの指標として解釈しないように、送信におけるギャップの指標を提供するシステムおよび方法が必要とされている。
【概要】
【０００５】
一定の側面において、アクセス端末は条件付で資源をアサインされ、該資源上で受信された信号を処理して、この条件付のアサインメントに服する資源が前記アクセス端末によって利用されるべきかどうかを決定する。
【０００６】
一定の側面において、資源を複数のアクセス端末にアサインする方法は、第一のアクセス端末のための第一のアサインメントを発生すること、および第二のアクセス端末のための第二のアサインメントを発生することを含んでなり、該第二のアサインメントは条件付であり、且つ前記第一の資源を同定する。
【０００７】
更なる側面において、装置は、メモリーと、第一のアクセス端末のための第一のアサインメントおよび第二のアクセス端末のための第二のアサインメントを発生するように構成されたプロセッサを備えてなり、前記第二のアサインメントは条件付であり且つ前記第一の資源を同定する。
【０００８】
追加の側面において、アクセス端末で受信された信号を処理する方法は、通信資源に対応して情報信号が受信されないかどうかを決定することと、前記アクセス端末が条件付きで通信資源をアサインされるかどうかを決定し、また前記情報信号が受信されず且つアクセス端末が条件付きで通信資源をアサインされるときに、前記通信資源を利用して通信することを含んでなるものである。
【０００９】
他の側面において、アクセス端末はメモリーおよびプロセッサを含んでなり、該プロセッサは、情報なし信号が受信された通信資源が前記アクセス端末に条件付きでアサインされるかどうかを決定し、また情報信号が受信されず且つアクセス端末が条件付きで前記通信資源をアサインされるときに、前記通信資源を利用して通信を指令するように構成される。
【００１０】
種々の側面および実施形態を、以下で更に詳細に説明する。本出願は更に、以下で更に詳細に説明するように、方法、種々の側面、実施形態および特徴を実施するプロセッサ、送信ユニット、受信ユニット、ベースステーション、端末、システム、並びに他の装置および要素を提供する。
【詳細な説明】
【００１１】
「例示的」の用語は、ここでは「例、実例または例示として働く」を意味する。ここに「例示的」として記載される何れかの実施形態または設計は、必ずしも、他の実施形態または設計よりも好ましく、または有利であるとは解釈されない。「聞いている」の用語は、ここではレシピエント装置（アクセスポイントまたはアクセス端末）が与えられたチャンネル上でデータを受信しており、また受信されたデータを処理していることを意味する。図１は、複数のアクセスポイント（ＡＰ）１１０および複数の端末１２０を備えた無線通信システム１００を示している。ベースステーションは、端末と通信するステーションである。ベースステーションはまた、アクセスポイント、ノードＢおよび／または幾つかの他のネットワークエンティティーと呼称されてよく、また、これらの機能の幾つかまたは全部を含んでよい。各アクセスポイント１１０は、特定の地理学的エリア１０２のための通信サービス範囲を提供する。「セル」の用語は、この用語が使用される状況に応じて、アクセスポイントおよび／またはそのサービスエリアを意味することができる。システム容量を改善するために、アクセス端末のサービスエリアは、複数のより小さいエリア、例えば三つの小さいエリア１０４ａ、１０４ｂおよび１０４ｃに区切られてよい。各小さいエリアは、それぞれのベーストランシーバサブシステム（ＢＴＳ）によってサービスを提供される。「セクター」の用語は、この用語が使用される状況に応じて、ＡＰおよび／またはそのサービスエリアを意味することができる。セクター化されたセルについて、当該セルの全セクターのためのＡＰは、典型的には当該セルのためのベースステーション内に共に位置する。ここに記載する信号を伝達する送信技術は、セクター化されたセルを備えたシステム、並びにセクター化されていないセルを備えたシステムのために使用されてよい。単純化のために、以下の説明において、「ベースステーション」は、セクターにサービスを提供するステーション、並びにセルにサービスを提供するステーションのために一般的に使用される。
【００１２】
端末１２０は、典型的には当該システムの全体に分散され、各端末は固定式でもモバイル式でもよい。端末はまた、モバイルステーション、ユーザ装置、および／または幾つかの他の装置として称されてよく、またその機能の幾つかまたは全部を含んでもよい。端末はまた、無線装置、携帯電話、パーソナルデジタルアシスタント（ＰＤＡ）、無線モデムカード等であってよい。端末はまた、何れか所定の瞬間において、順方向リンクおよび逆方向リンク上で、ゼロ、１つまたは複数のベースステーションと通信してよい。
【００１３】
集中型アーキテクチャについて、システムコントローラ１３０はＡＰ１１０に結合されて、これらベースステーションのための調整および制御を提供する。システムコントローラ１３０は、単一のネットワークエンティティーまたは複数のネットワークエンティティーの集合であってよい。頒布されたアーキテクチャの場合、複数のＡＰは必要に応じて相互に通信してよい。
【００１４】
ここに記載する技術は、他のアクセス端末についてのスループットを改善するために、信号を受信および送信する他のアクセス端末のための「スティッキーアサインメント」を有するアクセス端末について、送信においてギャップの指示を使用することを提供する。
【００１５】
スティッキーアサインメントは、システムコントローラ１３０がアサインメントオーバーヘッドを低減することを可能にする。スティッキーアサインメントは、所定の資源のレシピエントが、各通信についての新たなアサインメントを要求することなく、アサインされた資源を使用して複数の通信（送信または受信）を行うことを可能にする。ＡＰ１００は、アサインメントメッセージを使用して、資源アサインメント情報、例えばチャンネル同定をＡＴ１２０に提供する。アサインメント情報が受信されたら、ＡＴ１２０は、アサインされた逆方向リンクチャンネル上で実際のデータを送信し、またはアサインされた順方向リンクアサインメント（資源）上で実際のデータを受信する。スティッキーアサインメントにおいては、アサインされたチャンネルが継続してＡＴ１２０にアサインされる。従って、チャンネルがアサインされる期間の種々の時点において、実際のデータは、ＡＴ１２０またはＡＰ１１０によって送信または受信されない。従って、第一のデータパターン（これは抹消署名パケットであってよい）は、送信におけるギャップを満たすように使用される。抹消署名パケットの構築およびデータレートは、利用可能な資源に基づいて変化してよい。利用可能な資源は、システムコントローラ１３０またはＡＴと通信中のＡＰによって決定されてよい。例えば、受信エンティティーがより多くの情報ビット（例えば３ビット）を有する抹消署名パケットを処理するための資源を有していれば、抹消署名パケットの長さは、より多くの情報ビットを提供するように調節される。このことは、受信エンティティーが、受信されたパケットは抹消署名パケットであったことを容易に決定することを可能にすることができる。また該抹消署名パケットが送信される電力レベルは、該抹消シーケンスの送信が有意な干渉を起こさない充分に低い電力レベルで抹消シーケンスを送信するために変化してよい。
【００１６】
更に、一定の側面において、前記第一のデータパターンを受信することを意図したもの以外のＡＴは、該第一のデータパターンを読み取ってよい。次いで、これらＡＴは、前記第一のデータパターンが意図されたＡＴに使用されていない資源を利用してよい。
【００１７】
ここで使用するとき、資源または通信資源とは、キャリア周波数、時間スロット、ＯＦＤＭＡシステムのトーンまたはサブキャリアの数、ＯＦＤＭシンボルおよびサブキャリアの１以上の連続的なブロック、例えば、８シンボル×１６サブキャリア、ＯＦＤＭシンボルおよびサブキャリアの非連続的組合せの群、論理資源、例えばチャンネルツリーまたは周波数ホップシーケンスのノード、または何れか他の資源を言う。
【００１８】
図２は、割当てられたチャンネル上のデータトラヒックの図２００を示している。スティッキーアサインメント持続期間２０８は、一般にはアサインメントとアサインメント解除（セッションの喪失）との間であるが、それは多重送信を含む固定された持続期間についてのものであってよい。スティッキーアサインメントが持続する間に、データ送信の幾つかの事象、例えば２０２ａ〜２０２ｄが存在してよく、ここでは送信データパケットが送信される。一般に、スティッキーアサインメントの持続期間２０８の間、データは常に連続的に送信されるわけではなく、従って、ギャップ部分、例えば２０４ａ〜２０４ｄが残される。当該アサインメントに対応する資源上での送信がないことを表す情報なし信号２０６ａ〜２０６ｄが送信されて、継続期間２０８の終了前にはスティッキーアサインメントが終了しないようになっている。この情報なし信号は、独特なパターンのデータを表す１以上のビットを担持する固定された抹消署名パケットまたはメッセージであってよい。換言すれば、抹消署名パケットは、ギャップ部分２０４ａ〜ｄを独特のパターンで満たし、資源が終了しないように保持する。抹消署名パケットは、該抹消署名パケットを使用する前に送信者および受信者の両方が知っている独特の識別子であってよい。
【００１９】
しかし、上記の状況において、スティッキーアサインメントに服する資源は、アクセス端末との如何なる通信のためにも利用されていない。従って、このような状況においては未使用の容量が存在するであろう。従って、幾つかの側面において、他のアクセス端末は、スティッキーアサインメントに服する資源に条件付きでアサインされてよく、また情報なし信号を受信するときには、当該スティッキーアサインメントに服する資源を利用することができるであろう。
【００２０】
条件付きアサインメントは、１回の通信のためのスティッキーな条件付きアサインメントまたは条件付きアサインメントであってよい。該条件付きアサインメントおよびスティッキーアサインメントは、順方向リンク通信、逆方向リンク通信、またはその両者についてのものであってよい。
【００２１】
情報なし信号は、スティッキーアサインメント、情報なし信号を送信するセクターもしくはアクセスポイントの同定のためのアクセス端末、または条件付きアサインメントに服するアクセス端末を同定してよい。この方法において、多重アクセス端末は、当初のスティッキーアサインメントに服する同じ資源の全部または幾つかの条件付きアサインメントに服してよい。
【００２２】
情報なし信号は、予め定められた閾値よりも低い送信電力レベルで送信されてよい。この閾値は予め定められてよく、該閾値を越える送信が干渉を生じるであろう送信電力レベルを示す。当該抹消署名パケットはまた、低データレートで送信されてよい。
【００２３】
一定の側面において、情報なし信号はビーコン信号、擬似ノイズ（ＰＮ）シーケンス、または幾つかの他の信号タイプであってよい。更に、上記で述べた幾つかの側面において、信号なし信号は、条件付きでアサインされる資源上を送信されてよい。
【００２４】
図３Ａは、アクセス端末を重複する資源にアサインするためのプロセス３００を示している。スティッキーアサインメントが、通信資源のための第一のアクセス端末のために提供される（ブロック３０２）。該通信資源が、前記アクセスポイントと通信している他のアクセス端末に対して条件付きでアサインされ得るかどうかの決定がなされる（ブロック３０４）。該決定は、前記第一のアクセス端末が与えられる通信セッションのタイプに基づいてなされてよく、例えば、第一のアクセス端末がインターネットプロトコル上での音声（ＶｏＩＰ）通信のための通信資源をアサインされるならば、該通信資源は条件付き通信のためにアサインされることができるかもしれない。或いは、該資源は、一定の資源が特定のアクセス端末のためのスティッキーアサインメントと共に条件付きアサインメントを受けるように区切られてもよい。更に、スティッキーアサインメントを受けるときに他のアクセス端末に条件付きでアサインされる能力を有するように、一定の資源が予め定義されるならば、ブロック３０４は省略されてもよいことに留意すべきである。
【００２５】
該資源が条件付きアサインメントに服すことができないならば、前記通信資源は条件付きアサインメントに服さないであろう（ブロック３０８）。該資源が条件付きアサインメントに服することができるならば、１以上のアクセス端末について条件付きアサインメントが与えられてよい（ブロック３０６）。この条件付きアサインメントは、資源の全部または幾つかについてのものであってよい。同様に、それらは1以上の追加のアクセス端末についてのものであってよい。
【００２６】
上記で述べたように、ブロック３０２およびブロック３０４は何れかの順序で、または異なる時間に行われてよい。
【００２７】
図３Ｂは、アクセス端末を重複する資源にアサインするためのプロセス３５０を示している。スティッキーアサインメントが、通信資源のための第一のアクセス端末について与えられる（ブロック３５２）。該通信資源が、前記アクセスポイントと通信している他のアクセス端末に対して、条件付きでアサインされ得るかどうかの決定がなされる（ブロック３５４）。該決定は、前記第一のアクセス端末が与えられる通信セッションのタイプに基づいてなされてよく、例えば、インターネットプロトコル上の音声（ＶｏＩＰ）通信のための通信資源が第一のアクセス端末にアサインされるならば、該通信資源は、条件付き通信のためにアサインされることができるかもしれない。或いは、該資源は、一定の資源が特定のアクセス端末のためのスティッキーアサインメントと共に条件付きアサインメントを受けるように区切られてもよい。更に、スティッキーアサインメントを受けるときに、一定の資源が他のアクセス端末に条件付きでアサインされる能力を有するように予め定義されるならば、ブロック３５４は省略されてもよいことに留意すべきである。
【００２８】
該資源が条件付きアサインメントに服すことができないならば、前記通信資源は条件付きアサインメントに服さないであろう（ブロック３５８）。該資源が条件付きアサインメントに服することができるならば、もう一つのアクセス端末が、条件付きアサインメントを与えられるために充分なチャンネル品質を有するかどうかの決定がなされる（ブロック３５６）。この決定は、該アクセス端末により与えられるチャンネル品質測定基準、アクセスポイントにより測定されたもの、またはそれらの組合せに基づいてよい。一定の側面において、条件付きでアサインされた資源上で条件付きアクセス端末へと送信された情報の復号は、情報なし信号、および潜在的には前記条件的にアサインされた資源において前記データ上に重畳されたアクノリッジメント等の他の情報を含む可能性があるので、この決定が利用されてよい。こうして、このような信号を復号する困難性の低いチャンネルを、アクセス端末にアサインすることが有益であるかもしれない。
【００２９】
他のアクセス端末が充分なチャンネル品質を有するならば、それは条件付きアサインメントを与えられてよい（ブロック３６０）。そうでないなら、他のアクセス端末には当該資源についての条件付きアサインメントは与えられない（ブロック３５８）。
【００３０】
条件付きアサインメントは、資源の全部または幾つかについてのものであってよい。同様に、それらは１以上の追加のアクセス端末についてのものであってよい。上記で述べたように、ブロック３５２およびブロック３５４は如何なる順序で行われてもよく、または異なる時点で行われてもよい。
【００３１】
なお、ブロック３５６に関して述べた決定は、一つのアクセス端末のために同時に利用可能な条件付きアサインメントが可能な資源について行われてよいことに留意すべきである。更に、プロセス３５０は、他の各アクセス端末のために個別的に行われてよく、或いは、ブロック３５６は、ブロック３５４の実行の後に１以上の端末のために例えば反復して行われてよい。
【００３２】
図３Ｃは、アクセス端末を重複する資源にアサインするための装置３６０を示している。通信資源がアクセスポイントと通信している他のアクセス端末に条件的にアサインされ得るかどうかを決定するための手段３６２は、１以上のアクセス端末に対して、条件付でアサインされ得る通信資源の幾つかまたは全部への１以上の条件付アサインメントを提供するための手段３６４に結合される。
【００３３】
図３Ｄは、アクセス端末を重複する資源にアサインするための装置３７０を示している。通信資源が他の当該アクセスポイントと通信している他のアクセス端末に対して条件付でアサインされ得るかどうかを決定するための手段３７２は、１以上のアクセス端末のための情報チャンネルを決定するための手段３７４に結合される。手段３７４は、条件付でアサインされ得る通信資源の幾つかまたは全部に対する１以上の条件付アサインメントを、条件付でアサインされた送信を処理するための充分なチャンネル条件を備えた１以上のアクセス端末に対して提供するための手段３７６に結合される。
【００３４】
図４Ａは、条件付でアサインされた資源を利用するためのプロセス４００を示している。アクセス端末において、情報なし信号が受信されたかどうかの決定が行われる（ブロック４０２）。上記で述べたように、情報なし信号は抹消署名パケットであってよい。この決定は、独特のシーケンスに基づいて、また斯かるパケットに対応する同定シーケンスが提供されるかどうかに基づいて行われてよい。該同定シーケンスは、セクターもしくはアクセスポイントのためのもの、またはアサインメントに服するアクセス端末もしくは端末のためのものであってよい。加えて、幾つかの場合に、これらは一斉送信されるパケットであってよい。
【００３５】
情報なし信号が検出されると、該情報なし信号に服する資源の同定が決定される（ブロック４０４）。幾つかの側面において、情報なし信号は、当該資源の一部である１以上のシンボル上を送信される。このような場合に、当該決定は直接的な対応である。他の側面において、プレアンブルもしくは他の制御チャンネル資源における該情報なし信号の場所は、当該データまたは他のトラヒック資源における資源場所に対応してよい。
【００３６】
次いで、アクセス端末は、それが当該資源または該資源の１部についての条件付アサインメントを有するかどうかを決定してよい。この決定は、以前に受信した条件付アサインメントに基づいて行われてよい。次いで、該アクセス端末は資源の全部またはそのアサインされた部分を利用して通信する（ブロック４０８）。通信は、該通信が順方向リンクのためのものである場合に、前記資源におけるデータを復調および復号することを含んでよく、また前記通信が逆方向リンク、または逆方向リンクおよび順方向リンク資源の組合せである場合に、該資源上での送信を含んでよい。
【００３７】
一定の側面において、条件付アサインメントは順方向リンクおよび逆方向リンクの両方のためのものであってよく、ここでは、逆方向リンクアサインメントは順方向リンクアサインメントに関してチャンネル化され、またはここでの前記資源識別子、例えばホップインデックス識別子は順方向リンクおよび逆方向リンクについて同一である。
【００３８】
上記アプローチは、一つのアクセス端末が与えられる各条件付アサインメントについて行われてよい。アクセス端末は、各々が異なる資源に関連する複数の条件を与えられてよく、ここでの各資源は異なるアクセス端末に関連してよく、または一つもしくは複数のアクセス端末からの複数の資源を含んでよい。例えば、データアクセス端末は、複数のＶｏＩＰアクセス端末の資源についての条件付アサインメントを与えられてよい。
【００３９】
図４Ｂは、条件付でアサインされた資源を利用するための装置４５０を示している。情報なし信号が受信されるかどうかを決定するための手段４５２は、該情報なし信号に服する資源の同定を決定するための手段４５４に結合される。この手段４５４は、該アクセス端末が条件付アサインメントを有するかどうかを決定するための手段４５６に結合される。手段４５６は、条件付アサインメントが存在すれば、該資源を利用するための手段４５８に結合される。
【００４０】
図５Ａは、条件付アサインメントを介して受信された信号を処理するためのプロセスを示している。情報なし信号が検出される（ブロック５０２）。次いで、条件付でアサインされた資源上で送信されたデータが検出される（ブロック５０４）。次いで、復調の際に該情報なし信号はデータから除去される（ブロック５０６）。
【００４１】
なお、図５は、情報なし信号が時間、周波数、コード、またはそれらの組み合わせ、例えば同じサブキャリア−ＯＦＤＭシンボルの組合せに関して、データ信号と重なる場合に適用されることに留意すべきである。他の例においては、上記で述べたように、情報なし信号を送信するために使用される資源は、条件的にアサインされた端末へと情報を送信するために使用されるもの、例えば異なるサブキャリア−ＯＦＤＭシンボルの組合せとは異なってよい。
【００４２】
図５Ｂは、条件付アサインメントを介して受信された信号を処理するための装置を示している。情報なし信号を検出するための手段５０３は、条件付でアサインされた資源上を送信されたデータを検出するための手段５０５に結合される。手段５０５は、情報なし信号をデータから除去するための手段５０７に結合される。
【００４３】
図６は、バイナリーチャンネルツリー９００を示している。図６に示した実施形態については、Ｓ＝３２のサブキャリア組が使用のために利用可能である。一組のトラヒックチャンネルが、この３２のサブキャリア組を用いて定義されてよい。各トラヒックチャンネルは独特のチャンネルＩＤをアサインされ、各時間間隔において１以上のサブキャリア組にマップされる。例えば、トラヒックチャンネルは、チャンネルツリー９００における各ノードについ定義されてよい。該トラヒックチャンネルは、頂部から底部へ、且つ各層の左から右へと連続的に番号が付されてよい。最上位のノードに対応する最も大きなトラヒックチャンネルには０のチャンネルＩＤが付与され、３２のサブキャリア組の全部にマップされる。最も低い層１における３２のトラヒックチャンネルは、３１〜３２のチャンネルＩＤを有しており、ベーストラヒックチャンネルと称される。各ベーストラヒックチャンネルは、一つのサブキャリア組にマップされる。
【００４４】
図６に示されたツリー構造は、直交システムについての該トラヒックチャンネルの使用に対して一定の制限を課する。アサインされる各トラヒックチャンネルについて、アサインされたトラヒックチャンネルのサブセット（または下位セット）である全てのトラヒックチャンネル、および前記アサインされたトラヒックチャンネルがそのサブセットである全てのトラヒックチャンネルが限定される。これらの限定されたトラヒックチャンネルは、アサインされたトラヒックチャンネルと同時には使用されず、二つのトラヒックチャンネルが同じサブキャリアを同時に使用しないようになっている。
【００４５】
一つの側面において、ＡＣＫ資源は、使用についてアサインされる各トラヒックチャンネルにアサインされる。ＡＣＫ資源はまた、ＡＣＫサブチャンネルまたは他の幾つかの用語で呼ばれるかも知れない。ＡＣＫ資源は、ＡＣＫメッセージを送信するために使用される関連の資源（例えば拡散コードおよび一組のクラスタ）を含んでいる。一つの側面において、各トラヒックチャンネルについてのＡＣＫメッセージは、アサインされたＡＣＫ資源上を送信されてよい。該アサインされたＡＣＫ資源は、該端末に信号送信されてよい。
【００４６】
もう一つの側面において、ＡＣＫ資源はチャンネルツリーの最も低いツリーにおけるベーストラヒックチャンネルの各々に関連している。この側面は、最小サイズのトラヒックチャンネルの最大数のアサインメントを許容する。前記最も低い層よりも上のノードに対応するより大きなトラヒックチャンネルは、（１）より大きなトラヒックチャンネル下の全てのベーストラヒックチャンネルのためのＡＣＫ資源、（２）ベーストラヒックチャンネルの一つ、例えば最も低いチャンネルＩＤを備えたベーストラヒックチャンネルのためのＡＣＫ、または（３）前記大きなトラヒックチャンネル下のベーストラヒックチャンネルのサブセットのためのＡＣＫ資源を使用してよい。上記オプション（１）および（３）については、前記より大きなトラヒックチャンネルのためのＡＣＫメッセージが、正しい受信の可能性を改善するために複数のＡＣＫ資源を使用して送られてよい。例えば複数入力複数出力（ＭＩＭＯ）送信を使用して複数のパケットが平行して送られるならば、複数のベーストラヒックチャンネルを備えたより大きなトラヒックチャンネルが、当該送信のためにアサインされてよい。ベーストラヒックチャンネルの数は、パケットの数以上である。各パケットは、異なるベーストラヒックチャンネルにマップされてよい。次いで、各パケットのためのＡＣＫは、関連のベーストラヒックチャンネルのためのＡＣＫ資源を使用して送られる。
【００４７】
条件付アサインメントのためのアクセス端末は、幾つかの側面においては、例えば、条件付でアサインされた資源のための最も低いベスノード上でＡＣＫを送信することによって、それが当該資源にアサインされたかのように、そのＡＣＫを送信する。
【００４８】
なお、条件付でアサインされた資源上で受信されたデータについて、条件付でアサインされたアクセス端末により送信されたアクノリッジメントは、例えば、全てのアクセス端末もしくは一群のアクセス端末のための共通のアクノリッジメントまたは信号伝達チャンネルを使用して、チャンネル化されたアクノリッジメントなしに提供されてよいことに留意すべきである。
【００４９】
図７は、多重アクセス多重キャリア通信システム１００における、ＡＰ１１０ｘ並びに二つのＡＴ１２０ｘおよび１２０ｙの実施形態のブロック図を示している。ＡＰ１１０ｘにおいて、送信機（ＴＸ）データプロセッサ５１４は、データソース５１２からのトラヒックデータ（即ち、情報ビット）、並びにコントローラ５２０およびスケジューラ５３０からの信号伝達および他の情報を受信する。例えば、コントローラ５２０は、アクティブなＡＴの送信電力を調節するために使用される電力コントロール（ＰＣ）コマンドを与えてよく、スケジューラ５３０はＡＴについてのキャリアのアサインメントを与えてよい。これら種々のタイプのデータは、異なる輸送チャンネル上で送信されてよい。ＴＸデータプロセッサ５１４は、多重キャリア変調（例えばＯＦＤＭ）を使用して受信されたデータを符号化および変調し、変調されたデータ（例えばＯＦＤＭシンボル）を提供する。次いで、送信機ユニット（ＴＭＴＲ）５１６は、該変調されたデータを処理してダウンリンク変調された信号を発生させ、次いでこれはアンテナ５１８から送信される。
【００５０】
ＡＴ１２０ｘおよび１２０ｙの各々において、この送信され且つ変調された信号はアンテナ５５２によって受信され、受信機ユニット（ＲＣＶＲ）５５４に提供される。受信機ユニット５５４は、該受信された信号を処理およびデジタル化してサンプルを与える。受信された（ＲＸ）データプロセッサ５５６は、次いで該サンプルを復調および復号して復号されたデータを提供し、これには回復されたトラヒックデータ、メッセージ、信号伝達等が含まれてよい。該トラヒックデータはデータシンク５８に提供されてよく、また端末のために送信されたキャリアアサインメントおよびＰＣコマンドは、コントローラ５６０に提供されてよい。
【００５１】
コントローラ５６０は、当該端末にアサインされ、且つ受信されたアサインメントで指示された資源を使用して、データ送信をアップリンク上に向ける。コントローラ５６０は更に、送信すべき実際のデータは存在しないが、アサインされた資源を維持することを望むときに、抹消署名パケットを注入する。
【００５２】
コントローラ５２０は、当該端末にアサインされている資源を使用して、データ送信をダウンリンク上に向ける。コントローラ５２０は更に、送信すべき実際のデータは存在しないが、アサインされた資源を維持したいときには、抹消署名パケットを注入する。
【００５３】
各アクティブ端末１２０について、ＴＸデータプロセッサ５７４は、データソース５７２からのトラヒックデータ、並びにコントローラ５６０からの信号伝達および他の情報を受信する。例えば、コントローラ５６０は、チャンネル品質情報、必要とされる送信電力、最大送信電力、または端末についての最大および必要な送信電力の間の差を示す情報を提供してよい。種々のタイプのデータが、アサインされたキャリアを使用してＴＸデータプロセッサ５７４により符号化および変調されてよく、更に、アップリンク変調された信号を発生させるために送信機ユニット５７６によって処理されてよく、次いで、該信号アンテナ５５２から送信される。
【００５４】
ＡＰ１１０ｘにおいて、ＡＴから送信され且つ変調された信号は、アンテナ５１８によって受信され、受信機ユニット５３２により処理され、ＲＸデータプロセッサ５３４によって復調および復号される。受信機ユニット５３２は、各端末について、受信された信号品質（たとえば受信された信号／ノイズ比（ＳＮＲ））を推定してよく、またこの情報をコントローラ５２０に提供してよい。次いで、当該端末のための受信された信号品質が許容可能な範囲で維持されるように、コントローラ５２０は、各端末についてのＰＣコマンドを誘導してよい。ＲＸデータプロセッサ５３４は、各端末についての回復されたフィードバック情報（例えば必要とされる送信電力）をコントローラ５２０およびスケジューラ５３０に提供する。
【００５５】
スケジューラ５３０は、前記資源を維持するためにコントローラ５２０に指示を与えてよい。この指示は、より多くのデータが送信されるべく予定されているときに与えられる。ＡＴ１２０ｘについて、コントローラ５６０は、必要とされる資源が維持されるべきかどうかを決定してよい。一定の側面において、コントローラ５２０は、スケジューラ５３０の機能を与える命令を実行してよい。
【００５６】
更に、コントローラ５６０は、アクセス端末に関して図１〜図５を参照して述べた機能の全部または幾つかを実行してよい。
【００５７】
ここに記載した技術は、種々の手段によって実施されてよい。例えば、これら技術はハードウエア、ソフトウエア、またはそれの組合せにおいて実施されてよい。ハードウエア実施のために、これら技術のための処理ユニット（例えば、コントローラ５２０および５６０、ＴＸおよびＲＸプロセッサ５１４および５３４等）は、１以上のアプリケーション特異的集積回路（ＡＳＩＣ）、デジタル信号プロセッサ（ＤＳＰ）、デジタル信号処理装置（ＤＳＰＤ）、プログラマブル論理装置（ＰＬＤ）、フィールドプログラマブルゲートアレイ（ＦＰＧＡ）、プロセッサ、コントローラ、マイクロコントローラ、マイクロプロセッサ、ここに記載した機能を実行するために設計された他の電子ユニット、またはそれらの組み合わせ内において実施されてよい。
【００５８】
ソフトウエア実施について、ここに記載した技術は、ここに記載した機能を実行するための１以上のプロセッサにより実施され得る命令を含むモジュール（例えば、方法および機能等）を用いて実施されてよい。この命令はメモリーユニット、例えば図７におけるメモリー５２２、または１以上のプロセッサ（例えばコントローラ５２０）によって読取りおよび実施され得る取外し可能な媒体に保存されてよい。このメモリーユニットはプロセッサ内で実現されてよいが、またはプロセッサの外部に実施されてもよく、この場合、それは当該技術で知られる種々の手段を介して該プロセッサに通信可能に結合されることができる。
【００５９】
見出しは、参照のために、および一定の節の場所を見つけ出すのを補助するためにここに含められるものである。これらの見出しは、ここに記載する概念の範囲を制限することを意図したものではなく、またこれらの概念は全体の明細書を通して他の節にも適用され得るものである。
【００６０】
開示された実施形態の先の説明は、当業者が本発明を製造または使用することを可能にするために提供されるものである。これら実施形態に対する種々の変形は当業者に容易に明らかであろうし、またここに定義される包括的な原理は、本発明の精神または範囲を逸脱することなく他の実施形態にも適用され得るものである。従って、本発明はここに示された実施形態に限定されることを意図するものではなく、ここに開示された原理および新規な特徴に整合したもっとも広い範囲を与えられるべきものである。
【図面の簡単な説明】
【００６１】
【図１】図１は、無線多重アクセス通信システムの図を示している。
【図２】図２は、それがスティッキーアサインメント概念を使用する際の、アサインされたチャンネル上でのデータトラヒックの図を示している。
【図３Ａ】図３Ａは、アクセス端末を一部重複する資源にアサインするためのプロセスを示している。
【図３Ｂ】図３Ｂは、アクセス端末を一部重複する資源にアサインするためのもう一つのプロセスを示している。
【図３Ｃ】図３Ｃは、アクセス端末を一部重複する資源にアサインするための装置を示している。
【図３Ｄ】図３Ｄは、アクセス端末を一部重複する資源にアサインするためのもう一つの装置を示している。
【図４Ａ】図４Ａは、条件付きでアサインされた資源を利用するためのプロセスを示している。
【図４Ｂ】図４Ｂは、条件付きでアサインされた資源を利用するための装置を示している。
【図５Ａ】図５Ａは、条件付きのアサインメントを介して受信された信号を処理するためのプロセス示している。
【図５Ｂ】図５Ｂは、条件付きのアサインメントを介して受信された信号を処理するための装置を示している。
【図６】図６は、二つのチャンネルツリーを示している。
【図７】図７は、アクセスポイントおよび二つの端末の実施形態のブロック図を示している。
【図１】
2009538061.tif 000003
【図２】
2009538061.tif 000004
【図３Ａ】
2009538061.tif 000005
【図３Ｂ】
2009538061.tif 000006
【図３Ｃ】
2009538061.tif 000007
【図３Ｄ】
2009538061.tif 000008
【図４Ａ】
2009538061.tif 000009
【図４Ｂ】
2009538061.tif 000010
【図５Ａ】
2009538061.tif 000011
【図５Ｂ】
2009538061.tif 000012
【図６】
2009538061.tif 000013
【図７】
2009538061.tif 000014
【国際調査報告】
2009538061.tif 000015
2009538061.tif 000016
2009538061.tif 000017